【手続補正書】
【提出日】平成29年7月27日(2017.7.27)
【手続補正１】
【補正対象書類名】明細書
【補正対象項目名】０００５
【補正方法】変更
【補正の内容】
【０００５】
本開示のうち、代表的なものの概要を簡単に説明すれば、下記のとおりである。
すなわち、表示装置は表示パネルとバックライトとを備える。前記表示パネルは、第１の基板と、第２の基板と、前記第１および第２の基板に挟持される液晶層と、前記第１の基板の観測者側に配置される第１の円偏光板と、第２の基板と前記バックライトとの間に配置される第２の円偏光板と、前記第１の円偏光板の観測者側に配置される散乱フィルムと、を備える。
【手続補正２】
【補正対象書類名】明細書
【補正対象項目名】０００８
【補正方法】変更
【補正の内容】
【０００８】
＜比較例＞
まず、本開示で先立って検討した技術（以下、比較例１という。）および一般的な技術（以下、比較例２）について図１および図２を用いて説明する。
図１は比較例１に係る表示装置を説明するための断面図である。図２は比較例１に係る表示装置の課題を説明するための概念図である。図３は比較例２に係る表示装置を説明するための断面図である。
比較例１に係る表示装置１００Ｒ１は、表示パネル１ＡＲと、観測者側とは反対側に取り付けられ、表示するための光源であるバックライト２とを備える。図１に示すように、表示パネル１ＡＲは、第１の基板１０と、第２の基板２０と、第１の基板１０と第２の基板２０に挟持される液晶層３０と、第１の直線偏光板４０Ｒと、第２の直線偏光板５０Ｒと、散乱フィルム６０とを備える。第１の直線偏光板４０Ｒは第１の基板１０の観測者側に取り付けられる。第２の直線偏光板５０Ｒは第２の基板２０のバックライト２側に取り付けられる。散乱フィルム６０は第１の直線偏光板４０Ｒの観測者側に取り付けられる。第１の基板１０には色を出すためのカラーフィルタや液晶分子を配向させるための配向膜などが取り付けられている。第２の基板２０には液晶を駆動するためのＩＴＯ（Indium Tin Oxide）等で構成される電極やＴＦＴ（Thin Film Transistor）、液晶分子を配向させるための配向膜などが取り付けられている。なお、カラーフィルタは第２の基板２０に取り付けられてもよい。
【手続補正３】
【補正対象書類名】明細書
【補正対象項目名】００１２
【補正方法】変更
【補正の内容】
【００１２】
実施の形態に係る表示装置１００の駆動方法は一般的なＩＰＳ、ＶＡ、ＴＮモードなどが適用できる。例えばＶＡモードであれば、液晶分子の初期配向を第１の基板１０と第２の基板２０の法線方向に配向させ、第１の基板側に配置する第１の円偏光板４０と第２の基板２０側に配置する第２の円偏光板５０を構成している各々の位相差板の光軸方向を略直交するようにすればよい。なお、略直交とは９０度±５度未満の範囲内であることを意味する。厳密な角度との誤差は±３度未満の範囲内であることが好ましい。ＩＰＳやＴＮモードでも同様に白および黒表示できるように光学軸方向を選択すればよい。実施の形態に係る表示装置１００は液晶の表示モードや円偏光板の光軸方向は特に問わない。第１の基板１０および第２の基板２０が備える支持基板は透明であることが望ましく、ガラスやプラスティックなどを用いることができる。図５に示すように、第１の円偏光板４０は一般的なヨウ素を用いた直線偏光板４１にλ／４の位相差を持つ位相差板（１／４波長板）４２を貼り付けた構造になっている。また、第２の円偏光板５０は一般的なヨウ素を用いた直線偏光板５１に１／４波長板５２を貼り付けた構造になっている。なお、第１の円偏光板４０はバックライト２の光の入射側に１／４波長板４２を出射側（観測者側）に直線偏光板４１を配置する。第２の円偏光板５０はバックライト２の光の入射側に直線偏光板５１を出射側に１／４波長板５２を配置する。図６に示すように、円偏光板を右回転円偏光板にする場合は、直線偏光板ＬＰの光軸に対し１／４波長板ＰＤの光軸を略４５度傾ける。なお、略４５度とは４５度±５度未満の範囲内であることを意味する。厳密な角度との誤差は±３度未満の範囲内であることが好ましい。図７に示すように、円偏光板を左回転円偏光板にする場合は、直線偏光板ＬＰの光軸に対し１／４波長板ＰＤの光軸を略１３５度（−４５度）傾ける。略１３５度（−４５度）とは１３５度（−４５度）±５度未満の範囲内であることであることを意味する。厳密な角度との誤差は±３度未満の範囲内であることがより好ましい。なお、例えばＶＡ方式の場合は、第１の円偏光板４０と第２の円偏光板５０の回転方向を逆にする。例えば、第１の円偏光板４０を右回転円偏光板にする場合は、第２の円偏光板５０は左回転円偏光板にする。上記では偏光板はヨウ素によって構成されているが、同様な効果が得られれば染料系材料でもかまわない。
散乱フィルム６０は、例えば、特許文献１に記載されるポリエステル樹脂、ポリ塩化ビニル樹脂またはアクリル樹脂などからなり、白い顔料などを混入して、表面を粗面にした透明の樹脂からなっている。また媒体と屈折率が異なる粒子を媒体内に分散させてもよい。バックライト２はＬＥＤや導光板、プリズムシートなどによって構成された一般的なものであればよく、特に限定されない。
【手続補正４】
【補正対象書類名】明細書
【補正対象項目名】００１３
【補正方法】変更
【補正の内容】
【００１３】
比較例１に係る表示装置１００Ｒ１のように通常の偏光板（直線偏光板）を用いる場合、図８に示すように、入射光ＩＬ（外光ＯＬ）が第１の直線偏光板４０Ｒを透過した透過光ＴＬが反射板１５で反射し、反射光ＲＬは第１の直線偏光板４０Ｒを透過して透過光ＲＴＬとなる。しかし、図９に示すように、表示装置１００のように円偏光板を用いると、入射光ＩＬ（外光ＯＬ）が第１の円偏光板４０を透過した透過光ＴＬが反射板１５で反射すると、反射光ＲＬは入射光ＩＬ（透過光ＴＬ）と反対の方向に回転する（例えば、右回転が左回転になる）ので、反射光ＲＬは第１の円偏光板４０を透過することができず、外光反射を防止することができる。
【手続補正５】
【補正対象書類名】明細書
【補正対象項目名】００１６
【補正方法】変更
【補正の内容】
【００１６】
＜変形例２＞
実施の形態に係る表示装置の第二の変形例（変形例２）について図１３から図１７を用いて説明する。
図１３はシミュレーションモデルを示す図である。図１４はコントラスト比チャート計算した結果を示す図である。図１５は４５度方位におけるコントラスト比の視角特性を示す図である。図１６は変形例２に係る表示装置を説明するための模式図である。図１７は変形例２に係る表示装置を説明するための断面図である。
円偏光板は波長依存性と視野角依存性を持っている。まず視野角特性について考えてみる。図１３に示すように、直線偏光板Ｓ４１と１／４波長板Ｓ４２と反射板Ｓ４５からなるシミュレーションモデルを立てた。１／４波長板Ｓ４２は１３７．５ｎｍの位相差とし、直線偏光板Ｓ４１に対して光軸を０度もしくは４５度とした。これは５５０ｎｍの波長の光に対して１／４波長となるように設計した。図１４にコントラスト比チャート計算した結果を示した。コントラスト比は１／４波長板Ｓ４２の光軸を０度としたときが白、光軸を４５度としたときを黒としてその比によって求めた。直線偏光板Ｓ４１の上部から光を入射し、１／４波長板Ｓ４２を透過して、反射板Ｓ４５で反射して、１／４波長板Ｓ４２を透過して、直線偏光板Ｓ４１の上部に出射する。直線偏光板Ｓ４１への上部からの光の入射角度（方位角度および極角度）を種々変えて計算している。